(57)【要約】  本発明は、内部体積（２２）及ぶ少なくとも１つの閉鎖可能な端部（２６）を有する缶体（２０）を備える輸送容器に関する。端部蓋（２８）が、缶体（２０）の閉鎖可能な端部（２６）に閉鎖可能に掛かり、閉鎖可能な端部に隣接して缶体の一部に合うように適合された凹部（３０）を有する。使い捨て補強部材（３２）が凹部（３０）の外側表面に隣接して固定される端部蓋の凹部（３０）の少なくとも一部に対応する。
2013542136.tif 000002
【特許請求の範囲】
【請求項１】
内部体積及び少なくとも１つの閉鎖可能な端部を有する缶体と、
前記閉鎖可能な端部に隣接して前記缶体の一部の中に嵌合するように適合された凹部を有する、前記缶体の前記閉鎖可能な端部に閉鎖可能に嵌合する端部蓋と、
前記端部蓋の前記凹部の少なくとも一部に対応する、前記凹部の外側表面に隣接して固定された使い捨ての補強部材と、を有する、
輸送容器。
【請求項２】
前記補強部材は、ＩＳＴＡ試験手順３ａ、衝撃試験ブロック３及び９に従って試験されるとき、前記缶のリムに隣接して測定される前記端部蓋の約１／１６インチより小さいたわみをもたらすように適合される、
請求項１に記載の輸送容器。
【請求項３】
前記補強部材は、前記端部蓋にアクセスするために輸送後に取り外されるように適合される、及び／又は、
前記補強部材は、テープで貼ること、バンドで縛ること、及びストラップで縛ることからなるグループから選択される少なくとも１つを使用して前記缶体に固定される、
請求項１又は２に記載の輸送容器。
【請求項４】
前記端部蓋に隣接して前記補強部材を固定するように適合される、少なくとも１つのクリップをさらに有する、
請求項１乃至３のいずれか１項に記載の輸送容器。
【請求項５】
内部体積及び少なくとも１つの閉鎖可能な端部を有する缶体と、
前記缶体の前記閉鎖可能な端部を閉鎖するための手段と、
前記閉鎖可能な端部を閉鎖するための前記手段の少なくとも一部を補強するための手段と、を有する、
輸送容器。
【請求項６】
前記補強するための手段の少なくとも一部は、前記缶体の前記閉鎖可能な端部に隣接して前記内部体積内に置かれる、及び／又は、
前記補強するための手段は、前記閉鎖可能な端部を閉鎖するための前記手段にアクセスするために、輸送後に取り外されるように適合される、
請求項５に記載の輸送容器。
【請求項７】
前記補強部材を前記缶体に固定するための手段をさらに有する、
請求項５又は６に記載の輸送容器。
【請求項８】
前記輸送容器は、溶接用棒電極を収容する、
請求項１乃至７のいずれか１項に記載の輸送容器。
【請求項９】
輸送容器のための端部蓋を補強するための方法であって：
内部体積及び少なくとも１つの閉鎖可能な端部を有する缶体を提供するステップと、
前記閉鎖可能な端部に隣接して前記缶体の一部の中に合うように適合された凹部を有する端部蓋を使用して前記缶体の前記閉鎖可能な端部に閉鎖可能に嵌合させるステップと、
前記凹部の外側表面に隣接して前記端部蓋の前記凹部の少なくとも一部に対応する使い捨ての補強部材を固定するステップと、を有する、
端部蓋を補強するための方法。
【請求項１０】
前記使い捨ての補強部材を固定するステップは：
ＩＳＴＡ試験手順３ａ、衝撃試験ブロック３及び９に従って試験されるとき、前記缶のリムに隣接して測定される前記端部蓋の約１／１６インチより小さいたわみをもたらすステップをさらに有する、
請求項９に記載の端部蓋を補強する方法。
【請求項１１】
前記端部蓋にアクセスするために輸送後に前記使い捨て補強部材を取り外すステップをさらに有する、
請求項９又は１０に記載の端部蓋を補強する方法。
【請求項１２】
前記使い捨て補強部材を取り外すステップは、
テープで貼ること、バンドで縛ること、及びストラップで縛ることからなるグループから選択される少なくとも１つを使用して前記補強部材を固定するステップをさらに有する、
請求項９乃至１１のいずれか１項に記載の端部蓋を補強する方法。
【請求項１３】
前記使い捨て補強部材を取り外すステップは、パーティクルボード、中密度繊維板、配向性ストランドボード、チップボード、木の厚板、合板、熱硬化樹脂、熱可塑性物質、セラミックからなるグループから選択される少なくとも１つの材料から作られる補強部材を提供するステップを有する、
請求項９乃至１２のいずれか１項に記載の端部蓋を補強する方法。
【請求項１４】
前記使い捨て補強部材を取り外すステップは、前記端部蓋に隣接して前記補強部材を固定するように適合される少なくとも１つのクリップを使用することをさらに有する、
請求項９乃至１３のいずれか１項に記載の端部蓋を補強する方法。
【請求項１５】
前記閉鎖可能な端部に閉鎖可能に嵌合させるステップの前に、溶接用棒電極を前記輸送容器内に提供するステップを有する、
請求項９乃至１４のいずれか１項に記載の端部蓋を補強する方法。
【発明の詳細な説明】
【背景技術】
【０００１】
溶接用棒電極を含む多くの製品が缶輸送容器で輸送される。輸送中、容器は典型的には、落とされ、投げられ、バウンドされ、そうでなければ取り扱いに起因する力にさらされる。
【０００２】
従来、缶輸送容器が落とされた又は他の方法で扱われたとき、容器の中身は動いて端部キャップ又は端部蓋に衝突する。容器の中身のこのような移動は、端部蓋の変形及び／又は容器からの引き剥がしの１つの原因であった。溶接用棒電極等ある用途では、容器内での長手方向の容器の中身の移動は、中身が端部蓋に衝突することをもたらす。従来の輸送容器は、変形及び端部蓋に損傷を与えることなしに容器内で動く高密度電極製品によって生じる輸送力に耐えることができなかった。
【発明の概要】
【発明が解決しようとする課題】
【０００３】
輸送の力に耐えるとともに容器の中身への輸送の損傷を減らす改善された輸送容器への必要性がある。
【課題を解決するための手段】
【０００４】
請求項１により開示されるものは、内部体積及び少なくとも１つの閉鎖可能な端部を有する缶体、閉鎖可能な端部に隣接して缶体の一部の中に嵌合するように適合された凹部を有する缶体の閉鎖可能な端部に閉鎖可能に嵌合する端部蓋、及び凹部の少なくとも一部に対応する凹部の外側表面に隣接して固定された使い捨ての補強部材を有する。端部蓋は、密封蓋を形成し得る。補強部材は、パーティクルボード、中密度繊維板、配向性ストランドボード、チップボード、木の厚板、合板、熱硬化樹脂、熱可塑性物質、セラミックからなるグループから選択される少なくとも１つの材料から作られ得る。請求項５によれば、内部体積及び少なくとも１つの閉鎖可能な端部を有する缶体を有する輸送容器が開示される。輸送容器はさらに、缶体の閉鎖可能な端部を閉鎖するための手段と、閉鎖可能な端部を閉鎖するための手段の少なくとも一部を補強するための手段と、を有する。請求項９によれば、輸送容器のための端部蓋を補強するための方法が開示される。方法は、内部体積及び少なくとも１つの閉鎖可能な端部を有する缶体を提供することを含む。方法はさらに、閉鎖可能な端部に隣接して缶体の一部の中に合うように適合された凹部を有する端部蓋を使用して缶体の閉鎖可能な端部に閉鎖可能に嵌合させることを含む。方法はさらに、凹部の外側表面に隣接して端部蓋の凹部の少なくとも一部に対応する使い捨ての補強部材を固定することを含む。好ましい解決方法は、従属請求項から理解され得る。
【図面の簡単な説明】
【０００５】
【図１】図１は、本開示の輸送容器の斜視図である。
【図２】図２は、図１の輸送容器の分解斜視図である。
【図３】図３は、輸送容器の端部を通る断面図である。
【図３Ａ】図３Ａは、図３の輸送容器のリムの詳細である。
【図４】図４は、本開示の代替の輸送容器の斜視図である。
【図５】図５は、本開示の代替の輸送容器の分解斜視図である。
【図５Ａ】図５Ａは、図５の輸送容器のクリップを通る断面図である。
【図５Ｂ】図５Ｂは、図５の輸送容器の代替のクリップを通る断面図である。
【図６】図６は、本開示のさらに別の代替の輸送容器の斜視図である。
【図７】図７は、図６の輸送容器の部分断面図である。
【図８】図８は、本開示の代替の輸送容器の斜視図である。
【図９】図９は、本開示の代替の使い捨て補強部材の底面図である。
【図１０】図１０は、図９の補強部材の断面図である。
【図１１】図１１は、外側梱包材料を持つ本開示の輸送容器の端部を通る断面図である。
【発明を実施するための形態】
【０００６】
図１及び２を参照すると、輸送容器は、内側又は内部体積２２と、外側表面２４と、少なくとも１つの閉鎖可能な端部２６を有する縦長の缶体２０を有する。閉鎖可能な端部２６は、缶体２０の閉鎖可能な端部２６に閉鎖可能に嵌合する端部蓋２８を使用して閉鎖される。使い捨て補強部材３２が設けられ、端部蓋２８の少なくとも一部に対応するとともに図３に示されるように端部蓋２８の外側の少なくとも一部に隣接して固定される支持面２９を有する。使い捨て補強部材３２は、支持面２９の少なくとも一部が端部蓋２８の外側の少なくとも一部と接触するとともに補強部材３２無しの輸送容器より大きい輸送力に耐えるように端部蓋２８を補強するように適合されるように、特に端部蓋２８の凹部の内側に衝突する容器の中身によって加えられる力に耐えるように適合され得るように、配置される。使い捨て補強部材３２は、ユーザが端部蓋２８にアクセスするために、容器の輸送後に取り外されされるように適合され得る。
【０００７】
缶体２０は、図１及び２に示されるように、四角断面形状を有し得る。或いは、缶体２０は、円形断面形状、三角形断面形状、六角形断面形状、又は他の任意の多角形、弧状の、又は他の所望の断面形状（図示せず）を有し得る。
【０００８】
端部蓋２８は、端部を閉鎖するために缶体２０に嵌合し得る。図３に示されるように、缶体２０は閉鎖可能な端部に隣接したフランジ３４を有し得るとともに、端部蓋２８は、当業者によく知られているように、缶体２０の端部の周囲の周りで互いに継ぎ目を密封されるとき、缶フランジ３４に係合する（掛かる）ように適合されるフランジ部分３６を有し得る。継ぎ合わされたフランジ３４、３６は、閉鎖可能な端部２６に隣接して、輸送容器の周りにリム３７を形成する。シール剤が、缶体２０に密封蓋を形成するように、缶フランジ３４と蓋フランジ部分３６との間に提供され得る。
【０００９】
端部蓋２８は、補強部材３２の対応する平らな支持面２９に接する平らな外面を有し得る。或いは、端部蓋２８は、補強部材３２の対応する起伏のある支持面２９に接する起伏のある外面を有し得る。端部蓋２８は、図３に示されるように、閉鎖可能な端部２６に隣接する缶体２０の一部の中にぴったり合うように適合される凹部３０を有し得る。凹部３０の少なくとも一部に対応する使い捨て補強部材３２の少なくとも一部は、端部蓋２８とともに、缶体２０の閉鎖可能な端部２６に入り込み得る。
【００１０】
図３Ａに示されるように、補強部材３２の端部表面とリム３７に隣接する凹部３０の側面との間に隙間３９があり得る。１つの例示的且つ限定されない例では、隙間３９は、約０と約０．０１インチとの間であり得る。代替的な用途では、隙間３９は、約０と約０．０６インチとの間、好ましくは約０．０１と０．０３インチとの間である得る。さらに別の代替形態では、隙間３９は、約０と０．２インチとの間であり得る。隙間３９は、要求通りに輸送中に補強部材３２に向かって変形するリム３７の能力を減らすように選択され得る。
【００１１】
輸送容器は、図２に示されるように、溶接用棒電極４２を収容し得る。１つの例示的且つ限定されない例では、缶体２０及び端部蓋２８は、棒電極の端部と端部蓋２８の内側との間に約０．０６と０．４インチとの間の隙間が輸送容器の少なくとも一方の端部にあるように、寸法決めされる。１つの例示的且つ限定されない例では、支持面２９の少なくとも一部は、端部蓋２９の外面の少なくとも一部に接触し、輸送容器の少なくとも一方の端部の上の容器内の棒電極の端部から約０．００８インチと０．４インチとの間に配置される。或いは、支持面２９の少なくとも一部は、容器内の棒電極の端部から約０．０１インチと０．３インチとの間に配置され得る。さらに別の代替では、支持面２９の少なくとも一部は、容器内の棒電極の端部から約０．０１インチと０．２インチとの間に配置され得る。
【００１２】
輸送容器の缶体２０は、缶体の両端に閉鎖可能な端部を含み得る。第２の閉鎖可能な端部２６は、端部蓋２８を用いて閉鎖され得るとともに、図２に示されるように使い捨て補強部材３２を用いて補強され得る。
【００１３】
図３に示されるように、使い捨て補強部材３２は、端部蓋２８を補強するように配置された端部蓋２８の外側の少なくとも一部に隣接して配置される。端部蓋の少なくとも一部に対応する使い捨て補強部材３２は、テープ３８を用いて缶体２０にテープで貼り付けることによって固定され得る。図１に示されるように、１つ又は複数片のテープ３８が缶体２０の少なくとも２つの側部及び補強部材３２の少なくとも一部に付着され得る。追加的なテープ３８が要望どおり補強部材３２を輸送容器に固定するために使用され得る。１つの応用では、テープ３８は３インチ幅の輸送テープである。或いは、テープは２インチ幅である。テープのサイズは、満足な輸送性能のために要望通り変化し得ると考えられる。
【００１４】
代替的に又は追加的に、使い捨て補強部材３２は、ストラップ４０を用いて缶体２０にくくられ得る又は縛られ得る。ストラップ４０は、輸送容器の周りを巻かれることができ、１つの輪を形成する。追加的に、ストラップ４０は、図４に示されるように、缶体２０の２つの対向する側面の周りの第１の輪、及び缶体２０の他の２つの対向する側面の周りの第２の輪等、２つ以上の輪で輸送容器の周りを巻かれ得る。ストラップ４０の追加的な輪が補強部材３２を輸送容器に固定するために要望通りに利用され得る。１つの応用では、ストラップ４０は、１／２インチポリプロピレンストラップである。或いは、ストラップは３／８インチポリプロピレンストラップである。ストラップのサイズ及び材料は満足な輸送性能のために要望通り変化し得ると考えられる。
【００１５】
１つの応用では、使い捨て補強部材３２は、補強部材を端部蓋２８に隣接して固定するように適合されたクリップ４４等、少なくとも１つのクリップを用いて端部蓋の外側の少なくとも一部に隣接して固定され得る。図５に示されるように、クリップ４４は、補強部材３２を端部蓋２８に隣接して固定するように補強部材３２の少なくとも一部の上に配置されるように適合され得る。代替のクリップ４６は図６及び７に示される。クリップ４６等、複数のクリップが補強部材３２を端部蓋２８に隣接して固定するために設けられ得る。
【００１６】
クリップ４４、４６は、少なくとも１つの保持部分４８及び把持部分５０を含み得る。図５Ａ及び６に示されるように、軸方向保持部分４８は、容器の軸又は長手方向のクリップの移動を防ぐように適合される。軸方向保持部分４８は、図５Ａ及び７に示されるようなフランジ３６等、端部蓋２８の一部に引っ掛かるように適合され得る。或いは、軸方向保持部分４８は、リブ、突起、凹部、開口部、又は他の特徴部（図示せず）等、端部蓋２８の特徴部に引っ掛かるように適合され得る。或いは、軸方向保持部分４８は、缶体２０に設けられたリブ、突起、凹部、開口部、又は他の特徴部（図示せず）等、缶体２０に引っ掛かるように適合され得る。
【００１７】
クリップ４４、４６の把持部５０は、補強部材３２の少なくとも一部に引っ掛かるように適合され得る。図５及び５Ａに示されるように、グリップ部５０は、補強部材３２の一部を覆うキャップ状構造であり得る。クリップ４４は、輸送のための補強部材３２及び端部蓋２８の上にパチンと閉まるように適合され１つの部品として成形され得る。或いは、図６及び７に示されるように、クリップ４６は、溝５２等、補強部材３２の特徴部に引っ掛かるように適合された把持部５０を含み得る。或いは、把持部５０は補強部材３２のリブ、突起、凹部、開口部、又は他の特徴部（図示せず）に引っ掛かるように適合され得る。或いは、補強部材３２は、図５Ｂの例示的なクリップ４５に示されるようにクリップと一体に形成され得る。この応用では、クリップ４５は端部蓋２８を補強するように適合された複数のリブ３２’を有することができ、リブ３２’は、端部蓋２８の外側の少なくとも一部に接触するように把持部５０から延びる。
【００１８】
缶体２０は鋼で作られ得る。缶体２０は、亜鉛めっきされる、アルミめっきされる、スズめっきされる、エポキシ被覆される、塗装される、又は技術分野でよく知られた他のコーティング等、防錆剤で被覆され得る。いくつかの軽量な応用のために、缶体はアルミニウム又は熱可塑性物質であり得る。
【００１９】
端部蓋２８は鋼で作られ得る。端部蓋２８は、亜鉛めっきされる、アルミめっきされる、スズめっきされる、エポキシ被覆される、塗装される、又は技術分野でよく知られた他のコーティング等、防錆剤で被覆され得る。いくつかの軽量な応用のために、端部蓋２８はアルミニウム、ポリプロピレン、ＰＥＴ、ポリエチレン、ＡＢＳ、ポリスチレン、ポリエチレン、又は他の熱可塑性物質材料等の熱可塑性物質、又は缶体２０の閉鎖可能な端部を閉鎖するのに適した他の材料で作られ得る。端部蓋及び缶体が熱可塑性物質である応用では、端部蓋は缶体に、超音波溶接、スピン溶接、接着剤、又は端部蓋を缶体に固定するための他の結合技術を用いて固定され得る。
【００２０】
使い捨て補強部材３２は、パーティクルボード、中密度繊維板、配向性ストランドボード、又はチップボードで作られ得る。或いは、使い捨て補強部材３２は、木の厚板、合板、熱硬化樹脂、熱可塑性物質、セラミック、又は容器内から加えられる衝撃力から端部蓋２８を補強するのに適した任意の材料で作られ得る。
【００２１】
いくつかの応用では、端部蓋２８は、プルタブ５６を引くことによって切込み線に沿って引き離れるように適合された端部蓋２８の領域を定める切込み線等、図８に示されるような開けやすいアクセス部５４を含み得る。図９及び１０に示されるように、使い捨て補強部材３２の下側表面は、補強部材３２がプルタブに干渉することなく端部蓋２８の外側表面の少なくとも一部に接触するように、プルタブ５６に対応する凹部５８を含み得る。凹部５８の深さは、プルタブ５６が凹部５８の内側表面の少なくとも一部に接触するように適合され得る。
【００２２】
本輸送容器はさらに、図１１に示されるような再梱包段ボール箱６０等、外側の包装を含み得る。外側の包装はさらに、缶体２０の外側表面２４と再梱包段ボール箱との間に追加的な包装材料を含み得る。代替的に又は追加的に、外側の包装はさらに、使い捨て補強部材３２と再梱包段ボール６０との間に追加的な包装材料を含み得る。１つの応用では、クション部材６２が使い捨て補強部材３２と再梱包段ボールとの間に設けられ得る。クション部材６２は、段ボール、ポリスチレンフォーム、ポリウレタンフォーム、ゴム、熱可塑性エラストマー、及び／又は他のクッション材料からなるグループから選択される少なくとも１つの材料から作られ得る。図１１に示される１つの例示的且つ限定されない例では、クッション材料６２は、端部キャップ等、缶体２０の一部に少なくとも沿って延び得る。クッション材料６２のサイズは、満足な輸送性能のために要望通り変化し得ると考えられる。
【００２３】
１つの応用では、輸送容器は、溶接用棒電極４２を収容する。補強部材３２は、縦長の棒形状及び電極製品の密度が輸送中に端部蓋に加えられる力を増加させる傾向があるので、棒電極４２の容器に対する輸送の損傷を減らすのに便利である。
【００２４】
使い捨て補強部材３２は、例えば、国際安全輸送協会（ＩＳＴＡ）試験手順３ａによって測定されるような輸送ダメージを減らすように適合される。１つの応用では、外側の包装を持つ５０ポンドの溶接用棒電極を収容する本輸送容器が、ＩＳＴＡ試験手順３ａ、衝撃試験ブロック３及び９を用いてテストされた。補強部材３２は、缶のリムに隣接して測定した端部蓋２８のたわみが約１／１６より小さく、存在する場合には、開けやすいアクセス部５４の切込み線の破壊無しに、又は如何なる継ぎ目の広がりも無しに、電極の衝撃に耐えるように容器の支持を提供した。
【００２５】
本発明が前述の図面及び説明に詳細に図示又は説明されているが、同じことが特徴に関して説明的なものであり且つ限定するものでは無いと見なされるべきであり、その説明的な実施形態のみが図示されるとともに説明されており、本発明の精神の中にある全ての変形及び変更形態が保護されることが求められていることが理解される。本発明の追加的な特徴は、記載の考慮により当業者に明らかになるであろう。変更は本発明の精神及び範囲から離れることなしに行われ得る。
【符号の説明】
【００２６】
２０  缶体
２２  内部体積
２４  外側表面
２６  閉鎖可能な端部
２８  端部蓋
２９  支持面
３０  凹部
３２  補強部材
３２'  リブ
３４  フランジ
３６  フランジ
３７  リム
３８  テープ
３９  隙間
４０  ストラップ
４２  棒電極
４４  クリップ
４５  クリップ
４６  クリップ
４８  軸方向保持部
５０  把持部
５２  溝
５４  開けやすいアクセス部
５６  プルタブ
５８  溝部
６０  段ボール
６２  クッション部材
【図１】
2013542136.tif 000003
【図２】
2013542136.tif 000004
【図３】
2013542136.tif 000005
【図３Ａ】
2013542136.tif 000006
【図４】
2013542136.tif 000007
【図５】
2013542136.tif 000008
【図５Ａ】
2013542136.tif 000009
【図５Ｂ】
2013542136.tif 000010
【図６】
2013542136.tif 000011
【図７】
2013542136.tif 000012
【図８】
2013542136.tif 000013
【図９】
2013542136.tif 000014
【図１０】
2013542136.tif 000015
【図１１】
2013542136.tif 000016
【国際調査報告】
2013542136.tif 000017
2013542136.tif 000018
2013542136.tif 000019